(57)【特許請求の範囲】
【請求項１】
シートクッションおよびシートバックの組み合わせとしてなるシート本体が、所定の車体側支持部材に対する、その側方に延出された一体の連結アーム端部の枢支により、その横方向での跳ね上げを可能に連結、支持されるとともに、このシート本体の所定格納形態における着座位置からのシート本体の格納、および格納位置から着座位置へのシート本体位置の復元を、モータの動力による、連結アーム端部の枢軸を支点としたその揺動のもとで行うものとした車両用横跳ね格納シートにおいて、
所定の起動スイッチ操作による起動、および対応リミットスイッチによる停止の可能な上記モータが、上記シート本体部材に対する固定のもとでその内部に配設されるとともに、上記連結アーム端部の枢軸と平行に軸支された、シート本体内の駆動シャフトに対する、所定の動力伝達手段を介したモータの動力伝達により、この駆動シャフトを、モータ出力端の回転方向に対応する方向に軸転駆動するものとし、
この駆動シャフトにサポートリンクを一体に設け、このサポートリンクの先端部と所定の車体側支持部材との間に、所定の支持リンクをその各端部の枢支のもとで架設することにより、上記モータの動力による着座位置、格納位置間でのシート本体の揺動を確保可能とし、
前記モータがその出力端としてピニオンギヤを有してなるギヤドモータであるとともに、前記駆動シャフトがセクタギヤを一体回動可能に有して形成、軸支され、
前記動力伝達手段が、このピニオンギヤに噛合可能な入力ギヤと、セクタギヤに噛合可能な出力ギヤとを少なくとも有する減速ギヤ機構として形成されている車両用横跳ね格納シート。
【請求項２】
前記シートクッションに対する、所定格納形態への前記シートバックの揺動到達を電気的に検出する形態検出スイッチを設け、
前記シート本体の格納形態の形成がこの形態検出スイッチによって検出されたときのみ、前記起動スイッチによる、着座位置での前記モータの起動を可能とした請求項１記載の車両用横跳ね格納シート。
【請求項３】
前記シート本体をその着座位置に固定的に保持可能とするマニュアル解除式のロック手段を設けるとともに、このロック手段のロック解除を電気的に検出するロック解除検出スイッチを設け、
このロック解除検出スイッチを前記起動スイッチとして兼用化することにより、着座位置でのロック手段に対するロック解除操作と起動スイッチによるモータ起動操作とを一括化した請求項１または２記載の車両用横跳ね格納シート。
【発明の詳細な説明】
【技術分野】
【０００１】
本発明は、シートクッションおよびシートバックの組み合わせとしてなるシート本体を、所定の車体側支持部材に対する、その側方に延出された一体の連結アーム端部の枢支により、その横方向での跳ね上げを可能に連結、支持してなる車両用横跳ね格納シート、特に、このシート本体の所定格納形態における着座位置からのシート本体の格納、および格納位置から着座位置へのシート本体位置の復元を、モータの動力による、連結アーム端部を支点としたその揺動のもとで行うものとした、いわゆるパワー式の車両用横跳ね格納シートに関する。
【背景技術】
【０００２】
ある特定の格納形態をなすシート本体を、その横方向（側方）への跳ね上げ（横跳ね）のもとで車室側壁に沿って格納可能とした、いわゆる横跳ね格納シートが、荷室の拡張アレンジを可能とするワンボックス車や多目的自動車等のリヤシート、特にサードシート等として知られている（特開平９−１９３６９９号公報等参照）。そして、この横跳ね格納シートのうち、着座位置からのシート本体の格納、およびその格納位置から着座位置へのシート本体位置の復元をモータの動力のもとで行うものとした、いわゆるパワー式の構成が、たとえば特開平５−１７００２１号公報等において開示されている。
【０００３】
この特開平５−１７００２１号公報に開示の構成においては、車体側支持部材、たとえばスライドレールのブラケットに対する、その側方に延出された一体の連結アーム端部の枢支により、シート本体が、その横方向での跳ね上げを可能に連結、支持されている。そして、前出のブラケットに対し、上下揺動自在にその一端の枢支された、軸転不能なリードスクリューと、シート本体部材、たとえばシートクッションフレームに対し、このリードスクリューの揺動に従動可能に枢支された、リードスクリューの螺合された駆動ナットをその出力端として有するモータとの組み合わせを備え、モータの駆動に伴ったリードスクリューに対する駆動ナットの螺進、螺退、つまりその進退移動による、リードスクリュー、モータの各枢支点間の距離変動により、シート本体を、連結アーム端部の枢軸を支点としてその上下方向に回動させるものとして、この公知の構成は具体化されている。
【０００４】
ここで、上述したように、この公知の構成においては、比較的重量のあるモータが、シート本体部材に対して枢支されているため、その回動を保障するためのクリアランスにより、このモータが車両走行時等での振動によりガタつく虞がある。そのため、このガタツキに起因した異音の発生等による不快感を、乗員等に与える可能性が否定できない。
【０００５】
また、着座位置、格納位置間でのシート本体の揺動時、および格納位置でのその保持時においては、リードスクリューがシート本体からの荷重を直接的に受けるため、それに抗するだけの剛性がこのリードスクリュー、およびリードスクリューを枢支する枢支ピン等に要求される。従って、リードスクリューを有するこの公知の構成においては、その構成の複雑化、重量化および大型化等が伴われる虞が多分にある。
【０００６】
さらに、車体部材にその基端の枢支されたリードスクリューの自由端が、シートクッションの左右中央方向に延びて配設されるため、このリードスクリューの自由端を収容し、かつその揺動を保障可能とする保護スペースの確保が、シートクッション内部において要求される。従って、このようなその揺動の伴われるリードスクリューを有する公知の構成においては、シートクッションの形状、厚み、およびそのクッション性等への悪影響が懸念される。
【特許文献１】特開平５−１７００２１号公報
【発明の開示】
【発明が解決しようとする課題】
【０００７】
解決しようとする問題点は、比較的重量のあるギヤドモータをシート本体部材に対して回動自在に支持しなければならない点、および揺動自在なリードスクリューを、いわゆる機構部の一部として用いている点である。
【課題を解決するための手段】
【０００９】
本発明の請求項１に係る車両用横跳ね格納シートは、シートクッションおよびシートバックの組み合わせとしてなるシート本体が、所定の車体側支持部材に対する、その側方に延出された一体の連結アーム端部の枢支により、その横方向での跳ね上げを可能に連結、支持されるとともに、このシート本体の所定格納形態における着座位置からのシート本体の格納、および格納位置から着座位置へのシート本体位置の復元を、モータの動力による、連結アーム端部の枢軸を支点としたその揺動のもとで行うものとした車両用横跳ね格納シートにおいて、
所定の起動スイッチ操作による起動、および対応リミットスイッチによる停止の可能な上記モータが、上記シート本体部材に対する固定のもとでその内部に配設されるとともに、上記連結アーム端部の枢軸と平行に軸支された、シート本体内の駆動シャフトに対する、所定の動力伝達手段を介したモータの動力伝達により、この駆動シャフトを、モータ出力端の回転方向に対応する方向に軸転駆動するものとし、
この駆動シャフトにサポートリンクを一体に設け、このサポートリンクの先端部と所定の車体側支持部材との間に、所定の支持リンクをその各端部の枢支のもとで架設することにより、上記モータの動力による着座位置、格納位置間でのシート本体の揺動を確保可能とし、
前記モータがその出力端としてピニオンギヤを有してなるギヤドモータであるとともに、前記駆動シャフトがセクタギヤを一体回動可能に有して形成、軸支され、
前記動力伝達手段が、このピニオンギヤに噛合可能な入力ギヤと、セクタギヤに噛合可能な出力ギヤとを少なくとも有する減速ギヤ機構として形成されていることを、その最も主要な特徴としている。
【００１０】
さらに、この発明の請求項２は、シートクッションに対する、所定格納形態へのシートバックの揺動到達を電気的に検出する形態検出スイッチを設け、シート本体の格納形態の形成がこの形態検出スイッチによって検出されたときのみ、起動スイッチによる、着座位置でのモータの起動を可能としたことを、その最も主要な特徴としている。
【００１１】
そして、この発明の請求項３は、シート本体をその着座位置に固定的に保持可能とするマニュアル解除式のロック手段を設けるとともに、このロック手段のロック解除を電気的に検出するロック解除検出スイッチを設け、このロック解除検出スイッチを起動スイッチとして兼用化することにより、着座位置でのロック手段に対するロック解除操作と起動スイッチによるモータ起動操作とを一括化したことを、その最も主要な特徴としている。
【発明の効果】
【００１２】
本発明の請求項１に示す車両用横跳ね格納シートは、モータを、シート本体部材に対する固定のもとでそのシート本体内に配設する構成であるため、車両走行時の振動等によるガタツキが確実に防止されるという利点がある。
【００１３】
また、この請求項１は、モータの動力のもとで駆動シャフトを軸転駆動させれば足りるため、その構成の簡素化が十分にはかられるという利点がある。
【００１４】
さらに、この請求項１は、シートの左右方向中央に延びる可動部材を持たない構成であるため、シートクッションの形状、厚み、およびそのクッション性等に悪影響を与えることなくシート本体の揺動が得られるという利点がある。
【００１５】
また、この請求項１は、ピニオンギヤをモータの出力端とするとともに、セクタギヤを駆動シャフトに一体的に設け、このピニオンギヤとセクタギヤとに噛合可能なギヤを持つ減速ギヤ機構として、動力伝達手段を具体化しているため、その構成の簡素化が確実にはかられるという利点がある。
【００１６】
そして、この発明の請求項２は、この倒伏検出スイッチによりシートバックの倒伏を検出したときのみ、着座位置でのモータの起動を可能としているため、格納始動時におけるモータおよびシートの安全性がより高く維持できるという利点がある。
【００１７】
さらに、この発明の請求項３は、ロック手段のロック解除を電気的に検出するロック解除検出スイッチを、モータに対する起動スイッチとして兼用化するため、その操作の容易化が確実にはかられるという利点がある。
【発明を実施するための最良の形態】
【００１８】
その作動性能を損なうことなくモータのガタツキを防止するという目的を、構成の煩雑化等を伴うことなく実現可能とした。
【実施例】
【００１９】
図１および図２は、本発明の車両用横跳ね格納シート１０の一部破断の概略斜視図、およびその機構部を主として示す、この横跳ね格納シートの一部破断の概略正面図であり、これらを見るとわかるように、この発明においては、その動力源となるモータ１２が、シート本体部材となるシートクッションフレーム１４に対する固定のもとで、シートクッション１６内、つまりはシート本体１８内に配されている。
【００２０】
図２に加えて図３を見るとわかるように、この横跳ね格納シート１０においては、シートクッション１６と、このシートクッション上への倒伏を可能に連結、支持されたシートバック２０との組み合わせとしてシート本体１８が形成されている。そして、図２、図３に加えて図１を見るとわかるように、シートクッション１６の骨格をなすシートクッションフレーム１４をシート本体部材として具体化し、このシートクッションフレーム、詳しくはそのアウタサイドフレーム１４ａにその基端の一体固定された連結アーム２４の端部を、所定車体部材、たとえば車室側壁（単にボディとも称する）２６に固定された一対のブラケット２８に対し、枢軸３０を介して回動可能に枢支、連結することにより、この横跳ね格納シート１０は、その上下方向での揺動を可能に支持されている。
【００２１】
なお、この実施例においては、図３に二点鎖線で示すような、シートクッション１６上へのシートバック２０の倒伏形態を、この横跳ね格納シート１０でのシート本体１８の格納形態としている。そして、このシート本体１８の格納形態におけるモータ１２の起動により、このシート本体１８を、図３および図４に示す着座位置と、図５に示す、車室側壁２６に沿った格納位置との間で揺動させるものとして、この横跳ね格納シート１０は構成されている。
【００２２】
ここで、図１および図４を見るとわかるように、この発明においては、このモータ１２が、シート本体部材であるシートクッションフレーム１４への固定のもとで配されている。そして、図２に示すように、シートクッションフレーム１４に設けられた軸転可能な駆動シャフト３２に対してその動力を伝達可能に、このモータからの動力伝達手段３４は構成されている。
【００２３】
なお、この実施例において使用されるモータ１２は、出力端にピニオンギヤ３６を有するギヤドモータであるが、このギヤドモータの基本構造は公知であり、また一般的な市販品でもあるため、このギヤドモータに対する詳細な説明はここでは省略するものとする。
【００２４】
図１に加えて図４を見るとわかるように、このモータ１２は、モータ固定用プレート３８を介して、シートクッションフレーム１４のフロントフレーム１４ｂに対し、その内方に固定的に配されている。そして、図２および図４に示すように、このモータ固定用プレート３８を介してフロントフレーム１４ｂとの間に配置されたピニオンギヤ３６に対し、種々のギヤの組み合わせとしてなる動力伝達手段３４の入力ギヤ４０を噛合させることによって、モータ１２からの動力の取り出し、伝達は行われる。
【００２５】
なお、この動力伝達手段３４は減速ギヤ機構としてなり、その出力ギヤ４１は、駆動シャフト３２に一体回動可能に設けられたセクタギヤ４２に噛合されている。
【００２６】
このような構成であれば、モータ１２の駆動に伴ったピニオンギヤ３６の回転により、動力伝達手段の入力ギヤ４０は回転される。そして、この回転力の伝達された出力ギヤ４１がセクタギヤ４２を対応方向に回動させるため、これにより、駆動シャフト３２が対応方向に回動、つまりは軸転される。
【００２７】
ここで、この駆動シャフト３２について説明する。図１を見るとわかるように、この駆動シャフト３２は、連結アーム端部の枢軸３０の軸線と平行となるように、シートクッションフレームのアウタサイドフレーム１４ａに設けられたブラケット４４と、シートクッションフレームのフロントフレーム１４ｂとの間に架設、軸支されており、そのフロントフレーム側の端部に、セクタギヤ４２がその一体回動を可能に固定されている。
【００２８】
そして、図１および図４を見るとわかるように、この発明においては、この駆動シャフト３２に、一対のサポートリンク４６がその一体回動を可能に固着され、このサポートリンクの先端部と、所定の車体側支持部材、たとえば車室側壁のブラケット２８との間に、一対の支持リンク４８が、その各端部の枢支のもとで架設されている。
【００２９】
なお、この支持リンク４８を車室側壁のブラケット２８に枢支する枢軸５０は、連結リンク端部の枢軸３０に対する下部位置に配される。
【００３０】
この構成の横跳ね格納シート１０の動作の概略を、ここで説明する。
【００３１】
シート本体１８の格納時、シートバック２０は、まず、たとえばリクライニング装置（図示しない）に対するロック解除操作のもとで、図３に一点鎖線で示すようにシートクッション１６上に倒伏される。そして、シート本体１８をその着座位置に固定的に保持するロック手段（図示しない）に対してロック解除操作を行うとともに、それに伴って起動スイッチ（図示しない）においてギヤドモータ１２に対する起動操作を行うことにより、格納位置方向、つまり図４に一点鎖線矢印で示す方向へのシート本体１８の揺動は開始される。
【００３２】
この、着座位置でのギヤドモータ１２の駆動により、駆動シャフト３２はサポートリンク４６と共に図４中の反時計方向に回動、軸転する。すると、サポートリンク４６の回動に伴う支持リンク４８の従動により、シート本体１８は、図６に示すように、連結アーム端部の枢軸３０を支点としてその上方に揺動される。そして、さらにその揺動が進行し、シート本体１８が、図５に示す、車室側壁２６に沿った格納位置に到達すると、この到達を検出するリミットスイッチ（図示しない）によるＯＦＦ操作のもとで、ギヤドモータ１２が停止される。
【００３３】
また、この図５の、シート本体１８の格納位置において起動スイッチを操作すると、ギヤドモータ１２の逆転駆動により、駆動シャフト３２およびサポートリンク４６は図中時計方向に回動、軸転する。そして、このサポートリンク４６の回動に伴う支持リンク４８の従動により、シート本体１８が、連結アーム端部の支軸３０を支点とした時計方向への揺動により、図６に示す位置を経由して図４に示す着座位置に到達すると、対応するリミットスイッチ（図示しない）によるＯＦＦ操作のもとで、ギヤドモータ１２は停止される。
【００３４】
なお、この着座位置への到達後、シート本体１８を手動のもとでさらに押下することにより、ロック手段はロックされる。
【００３５】
上記のように、この発明の車両用横跳ね格納シート１０の構成であれば、ギヤドモータ１２をシート本体部材であるシートクッションフレーム１４に固定する構成であっても、シート本体１８を着座位置、格納位置間で適切に揺動させることが可能となる。つまり、シート本体部材へのギヤドモータ１２の固定が可能になることから、この発明によれば、車両走行時の振動等によるギヤドモータ１２のガタツキが確実に阻止され、よって、異音の発生等に起因する乗員等への不快感の付与が十分に防止される。
【００３６】
また、この発明においては、ギヤドモータ１２の動力のもとで、駆動シャフト３２を軸転駆動させるとともに、この駆動シャフトの軸転駆動に伴ったサポートリンク４６の回動、およびそれに伴う支持リンク４８の従動により、シート本体１８を着座位置、格納位置間で揺動させれば足りるため、その構成の簡素化が十分にはかられる。
【００３７】
さらに、この発明は、従来のリードスクリューのような、シートクッション１６の左右方向中央に延びる可動部材を持たない構成であるため、シートクッションの形状、厚み、およびそのクッション性等に悪影響を与えることもなくなる。
【００３８】
そして、シート本体１８の揺動時、および格納位置での保持時、このシート本体からの荷重は動力伝達手段３４において受けることになるため、その剛性強化をはかるにあたっても、その全体的な大型化、重量化等を伴うことなく実行できる。従って、この構成によれば、大型化、重量化等を伴うことなく、より高い安全性を確保することが可能となる。
【００３９】
ここで、この実施例においては、連結アーム端部の枢支される車体側支持部材として、車室側壁に固定されたブラケット２８を例示しているが、シート本体１８を支持可能とする部材であれば足りるため、これに限定されず、たとえば、床体に固定されたブラケットやスライドレールのブラケット等を、ここでいう車体側支持部材として利用してもよい。
【００４０】
また、連結アーム２４の固定されるシート側部材として、この実施例においてはシートクッションフレームのアウタサイドフレーム１４ａを例示しているが、シートクッション内に配された剛性の高い部材であれば足りるため、たとえば、シートクッションフレーム１４に一体的に固定された付随部材等であってもよい。
【００４１】
さらに、この実施例においては、種々のギヤの組み合わせとしてなる減速ギヤ機構を、ギヤドモータ１２からの動力を駆動シャフト３２に伝達するための動力伝達手段３４として具体化しているが、ギヤドモータからの動力を駆動シャフトに伝達すれば足りるため、これに限定されず、たとえばチェーン手段等を含む構成として、この動力伝達手段を形成してもよい。
【００４２】
しかしながら、ギヤドモータのピニオン３６の回転力を駆動シャフトのセクタギヤ４２に伝達する、減速ギヤ機構としてなる動力伝達手段３４であれば、その構成の複雑化等を伴うことなく、その動力伝達が適切に行えるとともに、その減速により、シート本体１８の揺動が適切に確保できるため、その動力伝達性能、およびシート本体の作動性能が確実に向上される。
【００４３】
また、この実施例においては、シートクッション１６上へのシートバック２０の倒伏形態を、シート本体１８の格納形態として具体化しているが、これに限定されず、たとえば、シートクッションに対するシートバックのフラット後傾を、シート本体の格納形態としてもよい。
【００４４】
ところで、上記実施例においては詳細に説明していないが、シートクッション１６に対する、所定格納形態へのシートバック２０の揺動到達、たとえばシートクッション上へのシートバックの倒伏を電気的に検出する形態検出スイッチを設け、シート本体１８の格納形態の形成、つまりはシートバックの倒伏がこの形態検出スイッチによって検出されたときのみ、起動スイッチによる、着座位置でのギヤドモータ１２の起動を可能とするとよい。
【００４５】
図７に示すように、この形態検出スイッチ５２は、シートバック２０のヒンジ５４周りに一体回動可能に設けられたカム５６による押圧操作を可能に形成、配置され、図示のようなシートバックの倒伏に伴ったそのＯＮ操作のもとで、起動スイッチによるギヤドモータ１２の起動操作を可能に構成される。
【００４６】
このような構成によれば、シートバック２０の倒伏前、つまりシートバックの起立状態においては、誤って起動スイッチを操作したとしてもギヤドモータ１２の起動は生じない。つまり、シート本体１８の着座位置でのギヤドモータ１２の誤動作を確実に阻止できるため、格納始動時におけるギヤドモータおよびシート本体の安全性がより高く維持できる。
【００４７】
なお、ここでは、シートクッション１６上へのシートバック２０の倒伏形態をシート本体１８の格納形態と仮定したために、形態検出スイッチ５２でのシートバックの倒伏を検出するものとして具体化したが、前述のようにこのシート本体の格納形態はシートバックのフラット後傾形態でもよいため、このような場合においては、フラット後傾位置へのシートバックの到達を検出可能に、カム５６および形態検出スイッチは配設される。
【００４８】
また、シート本体１８をその着座位置に固定的に保持する手段としては、たとえばマニュアル解除式のロック手段が設けられる。そこで、このロック手段のロック解除を電気的に検出するロック解除検出スイッチを設けるとともに、このロック解除検出スイッチを、起動スイッチとして兼用化することが好ましい。
【００４９】
図８に示すように、マニュアル解除式のロック手段５７としては、たとえばキャッチユニット５８とストライカ６０との組み合わせが例示でき、図示のように、このキャッチユニットのロック解除レバー６２の、ロック解除位置への到達によりＯＮ操作されるように、ロック解除検出スイッチ６４は配置される。
【００５０】
なお、キャッチユニットのロック解除レバー６２に連結された参照符号６６の部材は、ロック解除操作時において牽引操作されるストラップであり、このストラップは、通常、シートクッション１６の下部後方等に延出される。
【００５１】
この構成においては、ロック解除検出スイッチ６４が起動スイッチを兼ねるため、キャッチユニット５８に対するロック解除操作に伴った、ロック解除レバー６２によるロック解除検出スイッチのＯＮ動作が、ギヤドモータ１２に対する、起動スイッチによるＯＮ操作、つまり起動操作となる。
【００５２】
つまり、この構成によれば、シート本体１８の着座位置における起動スイッチの操作が、ロック手段５７に対するロック解除操作に伴われることになるため、単一のスイッチ操作で足りることから、その操作の容易化が確実にはかられる。
【００５３】
そして、ロック手段５７のロック解除が起動スイッチによる起動操作に確実に伴われるため、ロック手段のロック解除前におけるギヤドモータ１２の起動等のような、その誤動作が確実に防止可能となる。
【００５４】
なお、この実施例においては、ロック手段５７としてキャッチユニット５８とストライカ６０との組み合わせを例示しているが、これに限定されるものではない。
【００５５】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００５６】
一般的には、１ボックス車やＲＶ車等の自動車に搭載される横跳ね格納シートがその対象となるが、モータの動力によりその格納／復元を行う横跳ね式格納シートであれば足りるため、これに限定されず、たとえば他の車両の横跳ね格納シートに、この発明を応用してもよい。
【図面の簡単な説明】
【００５７】
【図１】この発明に係る車両用横跳ね格納シートの、その機構部を主とした概略部分斜視図である。
【図２】車両用横跳ね格納シートの、一部破断の概略正面図である。
【図３】車両用横跳ね格納シートの概略側面図である。
【図４】シート本体の背面から見た、着座位置における、この車両用横跳ね格納シートの概略縦断面図である。
【図５】シート本体の背面から見た、格納位置における、この車両用横跳ね格納シートの概略縦断面図である。
【図６】シート本体の背面から見た、揺動途中における、この車両用横跳ね格納シートの概略縦断面図である。
【図７】シート本体の格納形態における、この車両用横跳ね格納シートの、概略部分側面図である。
【図８】ロック解除状態における、この車両用横跳ね格納シートの、概略部分側面図である。
【符号の説明】
【００５８】
１０  車両用横跳ね格納シート
１２  モータ（ギヤドモータ）
１８  シート本体
２４  連結アーム
３２  駆動シャフト
３４  動力伝達手段
４６  サポートリンク
４８  支持リンク
５２  形態検出スイッチ
６４  ロック解除検出スイッチ
【図１】
0004753422.tif 000002
【図２】
0004753422.tif 000003
【図３】
0004753422.tif 000004
【図４】
0004753422.tif 000005
【図５】
0004753422.tif 000006
【図６】
0004753422.tif 000007
【図７】
0004753422.tif 000008
【図８】
0004753422.tif 000009